(57)【要約】【課題】基板側に素子カバーを付けてもいままでどおりの撮影モジュールの外形を維持することができる撮影モジュール、およびその撮影モジュールの組立方法が実現する。【解決手段】レンズホルダ１０は、対物側開口１０Ａよび結像側開口１００Ａを有し撮影レンズ１００をその結像側開口１００Ａから食み出した状態に保持する。素子カバー１１に、撮影レンズ１００が結像側開口１００Ａから食み出した食み出し部を収容する凹部１１１を設けてその凹部底部に撮像素子１１２を固定する。治具３に素子カバー１１を保持させてバックフォーカス調整を行なう。【選択図】        図５
2010239525.tif 000002
【特許請求の範囲】
【請求項１】
対物側開口および結像側開口を有し撮影レンズを該結像側開口から食み出した状態に保持するレンズホルダと、
前記撮影レンズが前記結像側開口から食み出した食み出し部を収容する凹部を有し該凹部底部に撮像素子が固定された素子カバーとを有し、
前記素子カバーが、前記食み出し部を前記凹部に収容した状態で前記レンズホルダに固定されていることを特徴とする撮影モジュール。
【請求項２】
前記素子カバーが前記レンズホルダに接着固定されていることを特徴とする請求項１記載の撮影モジュール。
【発明の詳細な説明】
【技術分野】
【０００１】
本発明は、撮影レンズで被写体を撮像素子に結像させその撮像素子に被写体を表わす画像データを生成させる撮影モジュールに関する。
【背景技術】
【０００２】
最近の携帯電話機には大抵撮影モジュールが内蔵されている（例えば特許文献１参照）。このような撮影モジュールにおいては、携帯電話機に搭載可能とするために出来うる限りの小型化を図る必要がある。
【０００３】
上記の特許文献１には、レンズホルダと素子ホルダという２つの部品を主な構成要素とすることで小型化を実現した撮影モジュールが紹介されている。この特許文献１では、レンズホルダと素子ホルダとの間にネジを形成してフォーカス調整時にレンズホルダを素子ホルダに対して前後させレンズホルダ内の撮影レンズの結像位置に撮像素子を位置させた後接着剤でレンズホルダと素子ホルダとを接着固定する構成にして撮影モジュールの小型化を実現している。
【０００４】
しかし、上記特許文献１のようにフォーカス調整用のレンズホルダと素子ホルダとの双方にネジを設けると、どうしてもレンズホルダと素子ホルダとの双方の径が大きくなる。
【０００５】
そこで、上記のネジと上記素子ホルダを廃止して、レンズホルダと、撮像素子が固定された基板とで撮影モジュールを構成する技術が提案されている（例えば特許文献２参照）。
【０００６】
この特許文献２には、レンズホルダを回転させながら光軸方向に沿ってレンズホルダを素子ホルダに対して前後させる代わりに、基板をレンズホルダに対して光軸方向に沿って前後させながら撮影レンズの結像位置に撮像素子を位置させ接着固定する技術が提案されている。この特許文献２の技術は、バックフォーカス調整法と呼ばれており、このバックフォーカス調整法を採用すると、レンズホルダと素子ホルダとの双方にネジを設ける必要がなくなって撮影モジュールのスリム化を図ることができる。
【０００７】
ここで、バックフォーカス調整法を適用した撮影モジュールの構成の一例を説明する。
【０００８】
図１、図２、図３は、バックフォーカス調整法を適用した撮影モジュールの構成の一例を説明する図である。
【０００９】
図１には、撮影モジュール２を斜め上方から見た斜視図が示されており、図２には、図１の分解図が示されており、図３には図１の撮影モジュール２の中央を切断し切断した面を側方から見た側面図が示されている。
【００１０】
図１に示す撮影モジュール２には、図２、図３に示す様に、レンズホルダ２０と、撮像素子２１０が固定された基板２１と、撮影レンズ２２とが備えられている。この例では、４枚のレンズ２２０〜２２３と間隔環２２４とが備えられた例が示されている。
【００１１】
図１に示すレンズホルダ２０は、内部に撮影レンズ２２（図２）を保持し、対物側開口２０Ａと結像側開口２００Ａ（図３）とを有する。このレンズホルダ２０の結像側開口２００Ａは全面開放されていて組立時には、まずその結像側開口２００Ａからレンズホルダ２０内に撮影レンズ２２が装入され固定される。そして撮影レンズ２２が装入された後、レンズホルダ２０の結像側開口２００Ａが塞がれる様に、撮像素子２１０が固定された基板２１が接着固定される。
【００１２】
この基板２１が固定される前にバックフォーカス調整法によるフォーカス調整が行なわれる。図３の例では、基板２１を治具３に挟持させて治具３を光軸に沿って前後させることによりバックフォーカス調整が行なわれる。このときには例えば調整用の検査パターンを表わす画像信号を撮像素子に生成させその画像信号をモニタしながらフォーカス調整が行なわれ、フォーカス調整により基板２１の位置が決定されると決定された位置の基板２１がレンズホルダ２０に接着固定される。
【００１３】
しかし、図３の構成では治具３に基板２１を保持させたときに、基板２１が薄過ぎて治具による基板２１の保持が不安定になるという問題がある。この不安定な保持は、基板のずれなどを誘発しフォーカスの調整精度の低下を引き起こす。
【００１４】
もしも図１の基板２１に素子カバーを付けてその素子カバーを保持させる構成にすることができれば治具３に安定して基板２１を保持させフォーカス調整の調整精度を向上させることができるが、そうすると素子カバーを付けた分、撮影モジュールが大きくなってしまう。
【先行技術文献】
【特許文献】
【００１５】
【特許文献１】特開２００６−８０９６１号公報
【特許文献２】国際公開ＷＯ２００６／０９３３７７号パンフレット
【発明の概要】
【発明が解決しようとする課題】
【００１６】
本発明は、上記事情に鑑み、撮像素子を治具で安定保持するための素子カバーを付けても大型化が回避できる撮影モジュール、およびその撮影モジュールの組立方法を提供することを目的とする。
【課題を解決するための手段】
【００１７】
上記目的を達成する本発明の撮影モジュールは、
対物側開口および結像側開口を有し撮影レンズをその結像側開口から食み出した状態に保持するレンズホルダと、
上記撮影レンズが上記結像側開口から食み出した食み出し部を収容する凹部を有しその凹部底部に撮像素子が固定された素子カバーとを有し、
上記素子カバーが、上記食み出し部を上記凹部に収容した状態で上記レンズホルダに固定されていることを特徴とする。
【００１８】
上記本発明の撮影モジュールによれば、基板側に素子カバーが設けられその素子カバーがレンズホルダに固定される。上記本発明の撮影モジュールでは、レンズホルダを、特許文献１にあるような撮影レンズ全体を内部に収容する構造から、撮影レンズを結像側開口から食み出した状態に保持する構造に変更し、レンズホルダから食み出した部分のレンズについては上記素子カバーの凹部に収容させる。
【００１９】
こうすると、撮影モジュールの組立時には、安定して保持可能な素子カバーを治具等で保持し、素子カバーを前後させるからフォーカス調整を行なうことができる。しかも、素子カバーの凹部は、レンズホルダに代わって、レンズの食み出した部分を収容するので撮影モジュール全体の大型化が避けられる。
【００２０】
ここで、上記本発明の撮影モジュールは、
上記素子カバーが上記レンズホルダに接着固定されていることが好ましい。
【００２１】
この撮影モジュールは組立時に、上記素子カバーを治具等で保持しその素子カバーに固定された撮像素子を上記レンズホルダに対して光軸方向に前後させながらフォーカス調整を行なって素子カバーの位置が決定した後、その素子カバーをレンズホルダに接着固定することができる。
【発明の効果】
【００２２】
本発明によれば、基板側に撮像素子を安定保持するための素子カバーを付けても大型化が回避できる撮影モジュール、およびその撮影モジュールの組立方法が実現する。
【図面の簡単な説明】
【００２３】
【図１】従来の撮影モジュールを示す斜視図である。
【図２】従来の撮影モジュールの分解図である。
【図３】図１の撮影モジュールの断面図である。
【図４】本発明が適用された撮影モジュールの斜視図である。
【図５】図４の撮影モジュールの断面図である。
【発明を実施するための形態】
【００２４】
以下、図面を参照して本発明の実施の形態を説明する。
【００２５】
図４、図５は、本発明が適用された撮影モジュール１の構成を示す図である。
【００２６】
この図４には、撮影モジュール１を斜め上方から見た斜視図がそれぞれ示されており、図５には、図４の撮影モジュール１の中央を切断し切断した面を側方から見た側面図が示されている。
【００２７】
図４には、図１に対応する図が示されており、図５には、図３に対応する図が示されている。
【００２８】
図４、図５を参照して本実施形態の撮影モジュール１の構成を説明する。
【００２９】
図３で説明した従来の撮影モジュールは基板２１が薄過ぎ、治具３に安定してその基板２１を保持させることができなかった。
【００３０】
そこで、図４、図５の構成では、基板１１に素子カバー１１０を付けて治具３にその素子カバー１１０を保持させる構成を採用している。
【００３１】
図４に示すレンズホルダ１０は、対物側開口１０Ａおよび結像側開口１００Ａを有し撮影レンズ１００をその結像側開口１００Ａから食み出した状態に保持するものである。また、素子カバー１１は、撮影レンズ１００が結像側開口１００Ａから食み出した食み出し部を収容する凹部１１１を有しその凹部底部に撮像素子１１２が固定されている。
【００３２】
つまり、本実施形態では、図３の従来のレンズホルダ２０の形状に対し、結像側開口の一部を削り取って削り取った部分の機能を素子カバー１１０に割り当てその素子カバー１１０で基板１１を保持する構成にしている。この構成にすると、撮影モジュール１を組み立てる際、バックフォーカス調整用の治具３に素子カバー１１０を保持させることができ、治具３による保持強度の向上を図ることができる。
【００３３】
したがって治具３による基板１１の保持が安定して、治具３とともに撮像素子１１２を前後させているときの安定度が増し精密なフォーカス調整が行なわれる。
【００３４】
また、フォーカス調整によって位置決めされた素子カバー１１０は、レンズホルダ１０の結像側開口１００Ａ側に接着固定される。これにより、フォーカス状態が維持される。
【符号の説明】
【００３５】
１  撮影モジュール
１０    レンズホルダ
１００    撮影レンズ
１０１  １０２  １０３  １０４    レンズ
１０Ａ    対物側開口
１００Ａ    結像側開口
１１    基板
１１０    素子カバー
１１１    凹部
１１２    撮像素子
【図１】
2010239525.tif 000003
【図２】
2010239525.tif 000004
【図３】
2010239525.tif 000005
【図４】
2010239525.tif 000006
【図５】
2010239525.tif 000007